(57)【要約】【課題】  より良好な視聴支援効果を得ることが可能なデジタル放送受信装置を提供する。【解決手段】  デジタル放送受信装置１００は、チューナ１０２によりデジタル放送信号を受信自在であって、録画管理部１１２により番組を各番組単位で記録装置１１３に録画自在となっている。このデジタル放送受信装置１００に、記録装置１１３に録画された番組の再生予約と視聴条件とを入力指示自在な入力部１０３と、再生予約された番組の番組信号を視聴条件に基づく視聴条件用時間単位に再編する番組再編部１１１と、再編された視聴条件用時間単位の番組信号を再生する日時を視聴条件に基づき設定する番組再配置部１１０とを備える。再生予約された録画番組は、番組本来の時間単位とは無関係に再編・配置されて、ユーザの好みに合わせたスケジュールで視聴可能となる。【選択図】      図１
2006148491.tif 000002
【特許請求の範囲】
【請求項１】
デジタル放送信号を受信する受信手段と、該デジタル放送信号に含まれる番組信号を各番組単位で記録媒体に記録する記録手段と、該記録手段により記録された番組信号を音声出力装置及び表示装置に出力する出力手段とを備えたデジタル放送受信装置において、
前記記録媒体に記録された単一又は複数の番組信号の再生予約と視聴条件とを入力する入力手段と、
前記再生予約された単一又は複数の番組の番組信号を前記視聴条件に基づいて再編する番組再編手段と、
前記番組再編手段により再編された前記番組信号を前記出力手段より出力する日時を、前記視聴条件に基づき設定する番組再配置手段とを備えた、
ことを特徴とするデジタル放送受信装置。
【請求項２】
前記視聴条件は、分割回数に関する条件を含み、
前記番組再編手段は、前記再生予約された単一又は複数の番組の時間の総和を前記分割回数に応じて分割した視聴条件用の時間単位に基づいて再編する、
ことを特徴とする請求項１記載のデジタル放送受信装置。
【請求項３】
前記視聴条件は、一回の視聴時間に関する条件を含み、
前記番組再編手段は、前記再生予約された単一又は複数の番組の時間の総和を前記一回の視聴時間ごとに分割した視聴条件用の時間単位に基づいて再編する、
ことを特徴とする請求項１記載のデジタル放送受信装置。
【請求項４】
前記視聴条件は、前記再生予約された単一又は複数の番組の視聴を完了する視聴完了日時に関する条件を含み、
前記番組再配置手段は、前記視聴完了日時までの間に、前記番組再編手段により再編された前記番組信号を出力する日時を設定する、
ことを特徴とする請求項１記載のデジタル放送受信装置。
【請求項５】
前記視聴条件は、視聴可能な曜日及び時間帯、又は視聴可能な時間帯に関する条件を含み、
前記番組再配置手段は、前記視聴可能な曜日及び時間帯、又は視聴可能な時間帯に基づき、前記番組再編手段により再編された前記番組信号を出力する日時を設定する、
ことを特徴とする請求項１記載のデジタル放送受信装置。
【請求項６】
前記視聴条件は、指定された曜日及び時刻、又は指定された時刻に関する条件を含み、
前記番組再配置手段は、前記指定された曜日及び時刻、又は指定された時刻に基づき、前記番組再編手段により再編された前記番組信号を出力する日時を設定する、
ことを特徴とする請求項１記載のデジタル放送受信装置。
【請求項７】
前記入力手段は、視聴を希望する番組の視聴予約を入力指示自在であり、
前記番組再配置手段は、前記番組再編手段により再編された前記番組信号を出力する日時を、前記視聴条件及び前記視聴予約に基づき設定する、
ことを特徴とする請求項１記載のデジタル放送受信装置。
【請求項８】
前記番組再配置手段は、前記番組再編手段により再編された前記番組信号を出力する日時を、前記視聴予約の番組の日時に重複しないように設定する、
ことを特徴とする請求項７記載のデジタル放送受信装置。
【発明の詳細な説明】
【技術分野】
【０００１】
本発明は、デジタル放送を受信し、かつ番組信号を録画可能なデジタル放送受信装置に係り、詳しくは、録画された番組の再生予約が入力指示された際に、再生する日時を視聴条件に基づき設定するデジタル放送受信装置に関する。
【背景技術】
【０００２】
現在のデジタル放送は、アナログ放送の数倍のチャネルを持ち、放送される番組、視聴したい番組もそれに伴い飛躍的に多くなってきた。このように多様化する放送に対して視聴者を支援するものとしては、ハードディスクレコーダやＤＶＤ−ＲＡＭのような大容量の記録装置を用い、見たい番組・好みの番組をすべて録画できるものが提案されている。このようなものには、視聴者に都合のよい時間で見終えられるように遅延再生を組み合わせられることも多い。
【０００３】
また、多様化する放送に対して視聴者を支援するものとしては、視聴予約・録画予約を行うようなものも提案されている。このようなものには、視聴者が手動で見たい番組をＥＰＧ（Ｅｌｅｃｔｒｏｎｉｃ  Ｐｒｏｇｒａｍ  Ｇｕｉｄｅ）上で入力できたり、過去の視聴履歴から好みを類推して自動で番組を推薦・録画することが可能であるといったものがある。
【０００４】
しかしながら、これらの技術を駆使した場合、視聴が予定されている番組・推薦された番組も大量にあるが、録画されている番組も大量にあるといった事態が容易に想像される。この結果、視聴予定のリアルタイムの放送が優先され、録画されている番組が視聴できないという問題点がある。また、レンタルショップ等で借りてきたコンテンツを、一定期日までに返すことを要求されることがあるが、そのコンテンツを一日にまとめてみるだけの時間が取れない場合は、視聴予定（スケジュール）をユーザが管理する必要も生じる。
【０００５】
録画番組の視聴を支援するものとしては、電子番組表を過去の分まで表示し、録画されている番組について色を変える等で通知を行うもの（特許文献１参照）、電子番組表の一部をプライベートチャネルとし、記録番組用に割り当てるもの（特許文献２参照）、録画番組と現放送番組、放送予定番組を電子番組表で表示するもの（特許文献３参照）等が提案されているが、これらは放送番組と録画番組を一覧表示し、選択を支援するものであって、録画番組も視聴予定番組も大量にある場合の視聴支援機能としては十分でない。
【０００６】
そこで、録画した番組を、視聴予定番組を避けて再生予約できるものも提案されている（特許文献４参照）。このものは、上記の様な録画番組と視聴予定番組が大量にある場合であっても、ある程度の視聴支援効果（視聴予定管理の自動化）が期待できる。
【０００７】
【特許文献１】特開２００１−８１２２号公報
【特許文献２】特開２０００−２９５５５８号公報
【特許文献３】特開２００１−３３３３４５号公報
【特許文献４】特開２００２−２９０８８７号公報
【発明の開示】
【発明が解決しようとする課題】
【０００８】
しかしながら、上述した録画した番組を視聴予定番組を避けて再生予約できるもの（特許文献４）にあっては、録画番組と同等の長さをもつ放送番組と録画番組を入れ替えるため、録画番組が非常に長い時間の番組の場合に視聴するための空き時間が確保できない、視聴予定が無い（空き）時間に合う長さの録画番組が無い場合に番組の入れ替えが行えない等の問題がある。そのため、より良好な視聴支援効果を得られるものの開発が望まれていた。
【０００９】
そこで本発明は、再生予約された単一又は複数の番組の番組信号を視聴条件に基づく視聴条件用時間単位に再編し、再編された視聴条件用時間単位の番組信号を再生する日時を視聴条件に基づき設定することで、より良好な視聴支援効果を得ることが可能なデジタル放送受信装置を提供することを目的とするものである。
【課題を解決するための手段】
【００１０】
上記課題を解決するため、請求項１に係る本発明は、デジタル放送信号を受信する受信手段と、該デジタル放送信号に含まれる番組信号を各番組単位で記録媒体に記録する記録手段と、該記録手段により記録された番組信号を音声出力装置及び表示装置に出力する出力手段とを備えたデジタル放送受信装置において、
前記記録媒体に記録された単一又は複数の番組信号の再生予約と視聴条件とを入力する入力手段と、
前記再生予約された単一又は複数の番組の番組信号を前記視聴条件に基づいて再編する番組再編手段と、
前記番組再編手段により再編された前記番組信号を前記出力手段より出力する日時を、前記視聴条件に基づき設定する番組再配置手段とを備えたことを特徴とする。
【００１１】
また、請求項２に係る本発明は、前記視聴条件は、分割回数に関する条件を含み、
前記番組再編手段は、前記再生予約された単一又は複数の番組の時間の総和を前記分割回数に応じて分割した視聴条件用の時間単位に基づいて再編することを特徴とする。
【００１２】
また、請求項３に係る本発明は、前記視聴条件は、一回の視聴時間に関する条件を含み、
前記番組再編手段は、前記再生予約された単一又は複数の番組の時間の総和を前記一回の視聴時間ごとに分割した視聴条件用の時間単位に基づいて再編することを特徴とする。
【００１３】
また、請求項４に係る本発明は、前記視聴条件は、前記再生予約された単一又は複数の番組の視聴を完了する視聴完了日時に関する条件を含み、
前記番組再配置手段は、前記視聴完了日時までの間に、前記番組再編手段により再編された前記番組信号を出力する日時を設定することを特徴とする。
【００１４】
また、請求項５に係る本発明は、前記視聴条件は、視聴可能な曜日及び時間帯、又は視聴可能な時間帯に関する条件を含み、
前記番組再配置手段は、前記視聴可能な曜日及び時間帯、又は視聴可能な時間帯に基づき、前記番組再編手段により再編された前記番組信号を出力する日時を設定することを特徴とする。
【００１５】
また、請求項６に係る本発明は、前記視聴条件は、指定された曜日及び時刻、又は指定された時刻に関する条件を含み、
前記番組再配置手段は、前記指定された曜日及び時刻、又は指定された時刻に基づき、前記番組再編手段により再編された前記番組信号を出力する日時を設定することを特徴とする。
【００１６】
また、請求項７に係る本発明は、前記入力手段は、視聴を希望する番組の視聴予約を入力指示自在であり、
前記番組再配置手段は、前記番組再編手段により再編された前記番組信号を出力する日時を、前記視聴条件及び前記視聴予約に基づき設定することを特徴とする。
【００１７】
また、請求項８に係る本発明は、前記番組再配置手段は、前記番組再編手段により再編された前記番組信号を出力する日時を、前記視聴予約の番組の日時に重複しないように設定することを特徴とする。
【発明の効果】
【００１８】
本発明に係るデジタル放送受信装置によると、再生予約された録画番組が、番組本来の時間単位とは無関係に再編・配置されて、ユーザの好みに合わせたスケジュールで視聴することができて、より良好な視聴支援効果を得ることが期待できる。
【発明を実施するための最良の形態】
【００１９】
以下、本発明の実施の形態を図面を用いて説明する。図１は本発明の実施の形態に係るデジタル放送受信装置を示すブロック図である。
【００２０】
本発明に係るデジタル放送受信装置１００は、図１に示すように、デジタル放送を受信するアンテナ１０１に接続された受信チューナ（受信手段）１０２、ユーザが各種入力指示を入力自在な入力部（入力手段）１０３、システム制御部１０４、ＭＰＥＧ２ＴＳのデマルチプレクサ（再生出力手段）１０５、ＭＰＥＧオーディオデコーダ（再生出力手段）１０６、ＭＰＥＧビデオデコーダ（再生出力手段）１０７、番組情報等を解析するＳＩ／ＰＳＩ解析部１０８、視聴予定を管理する視聴予定管理部１０９、視聴予約を再配置する番組再配置部（番組再配置手段）１１０、番組を再編する番組再編部（番組再編手段）１１１、録画番組を管理する録画管理部（録画手段）１１２、録画番組を記録する記録装置（記録媒体）１１３、オーディオデータをＤ／Ａ変換して音声出力装置１１６に出力するＤ／Ａ変換部（再生出力手段）１１４、表示する画像信号を制御し、表示装置１１７に画像信号を出力する表示制御部（再生出力手段）１１５、を備えて構成されている。
【００２１】
まず、本デジタル放送受信装置１００における通常の番組視聴について説明する。通常の番組視聴では、ユーザは入力部１０３を操作し、システム制御部１０４に番組の視聴を通知する。システム制御部１０４は、アンテナ１０１、チューナ１０２を制御し、入力部１０３で指示された番組のＭＰＥＧ２形式のＴＳ（Ｔｒａｎｓｐｏｒｔ  Ｓｔｒｅａｍ）を放送波から選択し、デマルチプレクサ１０５に入力する。デマルチプレクサ１０５はＭＰＥＧ２ＴＳからユーザの選択したチャンネルのオーディオ信号・ビデオ信号・ＳＩ／ＰＳＩ情報のパケット信号を抽出し、それぞれオーディオデコーダ１０６、ビデオデコーダ１０７、ＳＩ（Ｓｅｒｖｉｃｅ  Ｉｎｆｏｒｍａｔｉｏｎ）／ＰＳＩ（Ｐｒｏｇｒａｍ  Ｓｅｒｖｉｃｅ  Ｉｎｆｏｒｍａｔｉｏｎ）解析部１０８に出力する。オーディオデコーダ１０６でデコードされた音声信号はＤ／Ａ変換機１１４でアナログ信号に変換されて音声出力装置１１６に出力され、該音声出力装置１１６から音声として出力される。ビデオデコーダ１０７でデコードされたビデオ信号は、表示制御部１１５で各種画像処理を施された後、表示装置１１６に出力され、該表示装置１１７上に画像として表示される。
【００２２】
ユーザが放送番組の番組情報取得を指示すると、ＳＩ／ＰＳＩ解析部１０８が番組情報を解析し、ＥＰＧ（Ｅｌｅｃｔｒｏｎｉｃ  Ｐｒｏｇｒａｍ  Ｇｕｉｄｅ）を作成、表示制御部１１５でビデオ信号と重ね合わせて、表示装置１１７上に表示される。なお、以上説明した動作は一般的なデジタル放送受信装置の動作と同様である。
【００２３】
つぎに、ユーザが録画予約を指示した場合の動作を図に沿って説明する。図２は録画管理部が管理する録画予約情報を示す説明図、図３は録画管理部が管理する録画情報を示す説明図である。
【００２４】
録画予約動作では、ユーザは入力部１０３を操作し、システム制御部１０４に番組の録画予約を通知する。通知の仕方は、入力部１０３に備えられた図示を省略したボタンを操作し、録画チャンネル、番組開始時刻、番組終了時刻を指示することで録画予約を通知してもよく、また、ＥＰＧ上で録画したい番組を選択指示することで録画予約を通知してもよい。システム制御部１０４は、入力部１０３で指示された番組の録画チャンネル、番組開始時刻、番組終了時刻を録画管理部１１２に入力する。録画管理部１１２は、例えばハードディスクレコーダやＤＶＤ−ＲＡＭ等からなる記録装置１１３に図２に示すような録画予約情報と、図３に示すような録画番組情報を記録する。なお、図２において、列１１８は録画番組のチャンネル、列１１９は録画開始時刻、列１２０は録画終了時刻である。また、図３において、列１２１は録画番組を識別する録画ｉｄ、列１２２は録画番組の名称、列１２３は録画番組の継続時間である。
【００２５】
図２に示す列１１９の録画開始時刻になると、録画管理部１１２は記録装置１１３に番組のＭＰＥＧ２ＴＳを記録開始する。列１２０の録画終了時刻となり録画が完了すると、録画管理部１１２は録画を行った継続時間、即ち録画した番組の時間の長さ（以下、「録画時間」という）をＳＩ／ＰＳＩ情報解析部１０８から得て、図３に示す列１２３のように記録し、録画番組を識別するための録画ｉｄを図３に示す列１２１のように付加し、列１２２の録画番組の名称と共に録画番組情報として追加記録する。
【００２６】
次に、視聴予約動作について説明する。図４は視聴予約管理部が管理する視聴予定情報を示す説明図である。
【００２７】
リアルタイム放送の視聴予約動作では、ユーザは入力部１０３を操作し、システム制御部１０４に番組の視聴予約を通知する。通知の仕方は、入力部１０３に備えられた図示を省略したボタンを操作し、視聴チャンネル、番組開始時刻、番組終了時刻を指示することで通知してもよく、また、ＥＰＧ上で視聴したい番組を選択指示することで、視聴予約を通知してもよい。システム制御部１０４は、入力部１０３で指示された視聴予約番組のチャンネル、番組開始時刻、番組終了時刻を視聴予約管理部１０９に入力する。視聴予定管理部１０９は記録装置１１３に図４に示すような視聴予約情報を記録する。なお、図４において、列１２４は視聴予約チャンネル、列１２５は視聴開始時刻、列１２６は視聴終了時刻である。
【００２８】
図４に示す列１２５の視聴開始時刻になると、視聴予定管理部１０９はシステム制御部１０４に番組の視聴開始を指示し、上述したような番組視聴を自動で開始する。なお、視聴開始時刻において他の番組を視聴している場合などは、視聴開始時刻であることを通知する文字列を表示装置１１７に表示するだけであってもよく、これらに限らず、通知の手法はどのようなものであってもよい。
【００２９】
視聴していた番組の視聴終了時刻（列１２６参照）になり、次の視聴予約の視聴開始時刻（列１２５参照）でない場合、視聴予約管理部１０９はシステム制御部１０４に番組の視聴終了を指示し、番組視聴を自動で終了する。なお、この際は、番組視聴の終了時刻であることを通知する文字列を表示装置１１７に表示するだけであってもよく、これらに限らず、通知の手法はどのようなものであってもよい。
【００３０】
また、視聴していた番組の視聴終了時刻になっても、次の視聴予約の視聴開始時刻である場合、視聴予約管理部１０９はシステム制御部１０４に次の番組の視聴開始を指示し、次の番組視聴を自動で開始する。なお、この際も、視聴開始時刻であることを通知する文字列を表示装置１１７に表示するだけであってもよく、これらに限らず、通知の手法はどのようなものであってもよい。
【００３１】
以上説明した通常視聴、録画予約、視聴予約の動作をふまえ、本発明の要部となる録画番組視聴支援動作について図に沿って説明する。図５は本発明に係る録画番組視聴支援動作が行われた際の視聴予定情報を示す説明図、図６は録画番組再生支援動作における録画番組選択の入力画面の一例を示す図、図７は録画番組再生支援動作における再生支援条件選択の入力画面の一例を示す図、図８は再生支援条件選択における視聴開始日指定の入力画面の一例を示す図、図９は再生支援条件選択における視聴完了日指定の入力画面の一例を示す図、図１０は再生支援条件選択における時間帯指定の入力画面の一例を示す図、図１１は再生支援条件選択における番組分割指定の入力画面の一例を示す図で、（ａ）は「分割条件指定」の入力画面を示す図、（ｂ）は「定時間分割」の入力画面を示す図、（ｃ）は「定回数分割」の入力画面を示す図、（ｄ）は「なるべく早く」の入力画面を示す図、図１２は再生支援条件選択における再生時刻条件指定の入力画面の一例を示す図、図１３は録画ｉｄの構成を示す説明図である。
【００３２】
まず、ユーザは、入力部１０３を操作し、記録装置１１３に記録されている番組一覧を例えば図６に示す録画番組選択画面のように表示して、再生したい番組を選択する。また、入力部１０３の操作により、再生モード指定選択ボタン群１２９の「いますぐ再生」「再生予約」「再生支援選択」の中から１つが選択されると、システム制御部１０４は、指示された録画番組の再生を直ちに行うのか、指定された時刻に行うのか、本発明に係る録画番組支援を行うのかを決定する。
【００３３】
「いますぐ再生」が指示され、録画番組の再生を直ちに行う場合には、録画管理部１１２が記録装置１１３より該当する録画番組のＭＰＥＧ２形式のデータを読み出し、再生出力手段としてデマルチプレクサ１０５、オーディオデコーダ１０６、ビデオデコーダ１０７、Ｄ／Ａ変換器１１４、及び表示制御部１１５が機能することにより、該ＭＰＥＧ２形式のデータをデコード処理した後、音声出力装置１１６及び表示装置１１７において音声及び画像として出力される。
【００３４】
また、「再生予約」が指示され、録画番組の再生を指定された時刻に行う場合には、上述した視聴予約の動作と同様に、ユーザは入力部１０３を操作して、再生開始時刻（再生終了時刻は録画時間より自動的に計算）を指示し、視聴予定管理部１０９により視聴予約として管理される。そして、再生開始時刻になると、当該録画番組の再生を自動的に開始する。
【００３５】
本発明に係る録画番組支援を行う場合には、システム制御部１０４は再生が指示された番組の録画時間（複数の番組が指示されていれば複数の番組の録画時間）を録画管理部１１２から読み出し、視聴予約管理部１０９及び番組再配置部１１０へ通知する。番組再配置部１１０は、再生支援条件（即ち、視聴条件）を選択する選択画面（詳しくは後述する）を表示制御部１１５を通じて表示装置１１７からユーザに表示する。ユーザは、表示された画面を操作しながら、再生支援条件を入力部１０３から入力する。
【００３６】
入力された再生支援条件は番組再配置部１１０に送られ、番組再配置部１１０は再生支援条件に従って録画時間（複数の番組である場合は複数の番組の録画時間の総和）を分割するよう番組再編部１１１へ通知する。番組再編部１１１は再生支援条件に従って番組の録画時間を視聴条件用の時間単位に分割し、分割結果を番組再配置部１１０に通知する。番組再配置部１１０は、分割された番組と、視聴予約管理部１０９の管理する視聴予約情報及びユーザの指定した再生支援条件に従って、録画番組の再生日時を決定し、視聴予約管理部１０９に通知する。すると、視聴予約情報は、例えば図４に示す状態から再生予約が追加されて、図５に示す状態に更新される。なお、図５において、１２７は第一の分割番組視聴予約、１２８は第二の分割番組視聴予約である。予約された番組の視聴は、視聴予約の場合と同一の動作である。
【００３７】
つづいて、本発明に係る録画番組再生支援動作のインタフェース、即ち再生支援条件の入力について、具体的に説明する。ユーザが、入力部１０３を操作し、録画番組の再生を指示すると、システム制御部１０４は、上述のように記録装置１１３に記録されている番組一覧を図６に示す録画番組選択画面によって表示し、再生したい番組の選択を促す。また、録画番組を選択した後、図６左に表示されている再生モード指定選択ボタン群１２９の中から、再生モードとして「再生支援選択」を選択すると、各種再生支援条件の指定を促す画面の表示を開始する。
【００３８】
すると、まず、例えば図７に示すような再生支援条件選択の画面を表示し、ユーザに「視聴開始日指定」「視聴完了日指定」「時間帯指定」「分割条件指定」「再生時刻条件指定」の項目について順次入力指示を促す。
【００３９】
ユーザが入力部１０３の操作によって「視聴開始日指定」の項目に移行すると、システム制御部１０４は、例えば図８に示すような視聴開始日指定の画面を表示し、ユーザは選択した録画番組の視聴を開始する日の設定、即ち、録画番組を再配置可能な日程の開始日を指定することが可能となる。この視聴開始日（再配置可能な日程の開始日）は指定してもよいし、指定しなければ操作を行った日からとなる。
【００４０】
ユーザが入力部１０３の操作によって「視聴完了日指定」の項目に移行すると、システム制御部１０４は、例えば図９に示すような視聴完了日指定の画面を表示し、ユーザは選択した録画番組の視聴を完了する日の設定、即ち、録画番組を再配置可能な日程の完了日を指定することが可能となる。この視聴完了日（再配置可能な日程の完了日）の指定は、特に次回のドラマの日までに視聴したい場合や、レンタルソフトのコンテンツを返却する日までに視聴したい場合等で使われる。この視聴完了日（再配置可能な日程の完了日）は指定してもよいし、指定しなければ視聴完了日は設定されない。
【００４１】
ユーザが入力部１０３の操作によって「時間帯指定」の項目に移行すると、システム制御部１０４は、例えば図１０に示すような時間帯指定の画面を表示し、ユーザは視聴可能となるであろう時間帯を指定することが可能となる。視聴可能な時間帯が指定されると、番組再配置部１１０は、この時間帯に従って番組再編部１１１により再編された録画番組を再配置する。この視聴可能な時間帯の指定は、例えば昼出勤するユーザが昼に録画番組の再生予約では見ることができない等のために指定される。該指定は、すべての曜日について同一の時間帯で指定するようにしてもよいし、曜日毎に異なる時間帯を指定してもよい。指定されない場合、番組再配置部１１０は、任意の時間で再編された録画番組を再配置することになる。
【００４２】
ユーザが入力部１０３の操作によって「分割条件指定」の項目に移行すると、システム制御部１０４は、例えば図１１（ａ）に示すような分割条件指定の画面を表示し、「定時間分割」「定回数分割」「なるべく早く」の項目について入力指示を促す。この分割条件指定においては、例えば番組再配置部１１０が録画番組を再生するのに十分な空き時間が見つけられなかった場合や一定時間の長さで録画番組を視聴したい場合等に指定を行うことになる。
【００４３】
ユーザが入力部１０３の操作によって「定時間分割」を選択すると、システム制御部１０４は、図１１（ｂ）に示すような「定時間分割」の画面を表示する。この定時間分割とは、番組再編部１１１が再編する録画番組の分割において、番組を一定時間で分割する指定である。例えば上記再生を指示した（単一又は複数の）録画番組の録画時間が１８０分である場合、「１回の視聴時間」を３０分と指定すれば、その録画番組は３０分（視聴条件用時間単位）×６回に番組再編部１１１で再編される。また、「１日の最大視聴回数」を指定することで、１日に何回まで視聴可能とするかも指定できるが、特に回数は指定しなくても構わない。
【００４４】
ユーザが入力部１０３の操作によって「定回数分割」を選択すると、システム制御部１０４は、図１１（ｃ）に示すような「定回数分割」の画面を表示する。この定回数分割とは、番組再編部１１１が再編する録画番組の分割において、番組を一定回数に分割する指定である。例えば上記再生を指示した（単一又は複数の）録画番組の録画時間が１８０分である場合、「分割回数」を３回と指定すれば、その録画番組は６０分（視聴条件用時間単位）×３回に番組再編部１１１で再編される。また、「１日の最大視聴回数」を指定することで、１日に何回まで視聴可能とするかも指定できるが、特に回数は指定しなくても構わない。
【００４５】
ユーザが入力部１０３の操作によって「なるべく早く」を選択すると、システム制御部１０４は、図１１（ｄ）に示すような「なるべく早く」の画面を表示する。この「なるべく早く」の分割では、番組再編部１１１が再編する録画番組の分割において、１つの再編された番組が持ち得る最小の時間（視聴条件用時間単位）と、それを１日何回まで連続してよいかを指定する。つまり、番組再編部１１１と番組再配置部１１０は、この条件の許す範囲で最短で視聴が終わるように、番組を分割して配置する。この際は、分割の必要がない場合もあり得る。
【００４６】
このように「分割条件指定」の指定が終わると、システム制御部１０４は、図１２に示すような「再生時刻条件指定」の画面を表示する。この「再生時刻条件指定」においては、「曜日指定」「開始時間指定」「終了時間指定」「視聴予約が行われている時間には再生予約を入れない」の項目について入力が促される。「曜日指定」は、再生予約を入れてよい曜日、「開始時刻指定」は再生予約を開始したい時刻、「終了時刻指定」は再生予約を終了したい時刻、「視聴予約が行われている時間には再生予約しない」は視聴予約が行われている時間帯には再生予約を配置しないこと、がそれぞれ指示可能となっている。
【００４７】
以上のように再生支援条件の指示入力が終了すると、まず、番組再編部は１１１は、上述の条件に従って番組を分割し、番組再配置部１１０は、上述の条件に従って番組を再配置する。即ち、「視聴予約が行われている時間には再生予約しない」が設定されていない場合は、指定された曜日・開始／終了時間と時間帯指定とを元に開始時間から終了時間まで、特に指定がなければ時間帯の最初から最後まで、再編された録画番組を、「１日の最大視聴回数」に従って順次再生予約として配置していく。この場合、視聴予定管理部１０９の管理する視聴予約情報は、配置された録画番組の再生予約で上書きされていく形になる。
【００４８】
一方、「視聴予約が行われている時間には再生予約しない」が設定されている場合は、上述のように視聴予約が行われている時間を避けながら、指定された曜日・開始／終了時間と時間帯指定とを元に、空き時間を探し、空いている時間に「１日の最大視聴回数」に従って順次再生予約として配置していく。この場合は、視聴予定管理部１０９の管理する視聴予約情報は、視聴予約の間に新たな再生予約が挿入されていく形になる。
【００４９】
ところで、録画番組は、図３の列１２１に示したとおり、識別用の録画ｉｄを有している。システム制御部１０４は、この録画ｉｄを視聴予約情報に記述することで再生予約を行うが、録画番組が番組再編部１１１で分割されると、２回目以降、即ち第二の分割番組視聴予約１２８（図５参照）は、どこから再生してよいか不明となってしまう。そこで、録画管理部１１２で管理している録画ｉｄに開始位置の情報を付加して管理する。即ち、図１３に示すように、例えば録画ｉｄを６４ｂｉｔで構成し、上位３２ｂｉｔに録画管理部１１２で管理される本来の録画ｉｄを格納し、下位３２ｂｉｔで当該録画番組における先頭から再生されたはずの部分に対応する映像のサイズの情報を付加して格納する。
【００５０】
具体的な一例を説明すると、例えば図３に示す録画ｉｄ１００の録画番組を、図５に示す第一の分割番組視聴予約１２７と第二の分割番組視聴予約１２８とに分割して再生予約した場合、図５に示すように、録画ｉｄ１００の録画番組は、第一の分割番組視聴予約１２７で番組の最初から再生されるため、視聴予約された際の第一の分割番組視聴予約１２７の録画ｉｄは「１００−０」とされる。
【００５１】
一方、第二の分割番組視聴予約１２８は、第一の分割番組視聴予約１２７で６０分間再生されるはずであり、番組の最初から６０分間経過した部分から再生する必要がある。そのため、例えば６０分間のデータサイズが６００ＭＢであるとした場合、第二の分割番組視聴予約１２８の録画ｉｄは「１００−６００」とされる。なお、第二の分割番組視聴予約１２８において録画ｉｄ１００の録画番組が再生される際は、該録画番組が記録装置１１３にＭＰＥＧ２形式で記録されているため、番組の最初から６００ＭＢ付近にあるＩフレームから再生されることになる。
【００５２】
なお、以上のように設定（再配置）された録画番組のスケジュールをユーザに提示する手法は、どのような手法であってもよく、例えばＥＰＧに重ねて表示してもよく、また、予約時刻に通知画面を表示してもよい。
【００５３】
以上のように本発明に係るデジタル放送受信装置１００によると、入力部１０３によって記録装置１１３に録画された単一又は複数の番組の再生予約と視聴条件とを入力指示されると、番組再編部１１１が再生予約された単一又は複数の番組の番組信号を視聴条件に基づく視聴条件用時間単位に再編し、番組再配置部１１０が再編された視聴条件用時間単位の番組信号を再生する日時を視聴条件に基づき設定するので、再生予約された録画番組が、番組本来の時間単位とは無関係に再編・配置されて、ユーザの好みに合わせたスケジュールで視聴することができて、より良好な視聴支援効果を得ることが期待できる。
【００５４】
また、リアルタイム放送の視聴予約を避けて、再生予約された録画番組を再編・配置することができるので、更に良好な視聴支援効果を得ることが期待できる。なお、本実施の形態で説明したデジタル放送受信装置は、本発明を体現する一例を示すものであって、本発明を限定するものではなく、本発明の趣旨に基づく範囲で適宜に変更可能である。
【図面の簡単な説明】
【００５５】
【図１】本発明の実施の形態に係るデジタル放送受信装置を示すブロック図。
【図２】録画管理部が管理する録画予約情報を示す説明図。
【図３】録画管理部が管理する録画情報を示す説明図。
【図４】視聴予約管理部が管理する視聴予定情報を示す説明図。
【図５】本発明に係る録画番組視聴支援動作が行われた際の視聴予定情報を示す説明図。
【図６】録画番組再生支援動作における録画番組選択の入力画面の一例を示す図。
【図７】録画番組再生支援動作における再生支援条件選択の入力画面の一例を示す図。
【図８】再生支援条件選択における視聴開始日指定の入力画面の一例を示す図。
【図９】再生支援条件選択における視聴完了日指定の入力画面の一例を示す図。
【図１０】再生支援条件選択における時間帯指定の入力画面の一例を示す図。
【図１１】再生支援条件選択における番組分割指定の入力画面の一例を示す図で、（ａ）は「分割条件指定」の入力画面を示す図、（ｂ）は「定時間分割」の入力画面を示す図、（ｃ）は「定回数分割」の入力画面を示す図、（ｄ）は「なるべく早く」の入力画面を示す図。
【図１２】再生支援条件選択における再生時刻条件指定の入力画面の一例を示す図。
【図１３】録画ｉｄの構成を示す説明図。
【符号の説明】
【００５６】
１０２  受信手段（チューナ）
１０３  入力手段（入力部）
１０５  再生出力手段（デマルチプレクサ）
１０６  再生出力手段（オーディオデコーダ）
１０７  再生出力手段（ビデオデコーダ）
１１０  番組再配置手段（番組再配置部）
１１１  番組再編手段（番組再編部）
１１２  録画手段（録画管理部）
１１３  記録媒体（記録装置）
１１４  再生出力手段（Ｄ／Ａ変換部）
１１５  再生出力手段（表示制御部）
【図１】
2006148491.tif 000003
【図２】
2006148491.tif 000004
【図３】
2006148491.tif 000005
【図４】
2006148491.tif 000006
【図５】
2006148491.tif 000007
【図６】
2006148491.tif 000008
【図７】
2006148491.tif 000009
【図８】
2006148491.tif 000010
【図９】
2006148491.tif 000011
【図１０】
2006148491.tif 000012
【図１１】
2006148491.tif 000013
【図１２】
2006148491.tif 000014
【図１３】
2006148491.tif 000015